(57)【要約】【課題】各液収容室に収容された液が混ざり合うのを回避しつつ、着脱操作を容易にして、複数室ボトル容器の各液収容室から２種以上の収容液を同時にスムーズに注出することを可能にする複数室ボトル容器用キャップを提供する。【解決手段】２室以上の液収容室１４ａ，１４ｂを備え、各肩部１５ａ，１５ｂから口首部１６ａ．１６ｂを離間させた状態で各々突出させた容器本体１３の上端部分に、着脱可能に装着される複数室ボトル容器用キャップ１０であって、天面部１７とスカート部１８とからなり、各液収容室１４ａ，１４ｂの肩部１５ａ，１５ｂ及び口首部１６ａ．１６ｂを一体として覆うキャップ本体１９と、各口首部１６ａ．１６ｂと対応する位置において天面部１７の内側面から各々垂下して設けられ、下端開口の縁部２０を変形させて各口首部１６ａ．１６ｂの外周面に各々着脱可能に係止される２以上の嵌合筒体２１ａ，２１ｂとからなる。【選択図】      図２
2004196335.tif 000002
【特許請求の範囲】
【請求項１】
２室以上の液収容室を備え、各液収容室の肩部から口首部を離間させた状態で各々突出させた容器本体の上端部分に、着脱可能に装着される複数室ボトル容器用キャップであって、
天面部とスカート部とからなり、前記各液収容室の肩部及び口首部を一体として覆って装着されるキャップ本体と、前記各液収容室の口首部と対応する位置において前記天面部の内側面から各々垂下して設けられ、下端開口の縁部を変形させて各口首部の外周面に各々着脱可能に係止される２つ以上の嵌合筒体とからなる複数室ボトル容器用キャップ。
【請求項２】
前記天面部の内側面には、前記各嵌合筒体と同心状に配置されて、前記各嵌合筒体が前記各口首部に各々嵌合係止された際に、前記口首部の先端内側面に填め込まれる環状リブが突出形成されている請求項１記載の複数室ボトル容器用キャップ。
【請求項３】
前記キャップ本体のスカート部の開口縁部には、離間して設けられた前記口首部のピッチと併せたピッチで、前記キャップ本体の内部に前記各液収容室から収容液を注入する際に前記各口首部を同時に位置決めさせる２つ以上の案内凹部が形成されている請求項１又は２に記載の複数室ボトル容器用キャップ。
【請求項４】
前記嵌合筒体には、前記キャップ本体の内部に各液収容室から注入される収容液を計量する計量目盛が設けられている請求項１〜３のいずれかに記載の複数室ボトル容器用キャップ。
【発明の詳細な説明】
【０００１】
【発明の属する技術分野】
本発明は、複数室ボトル容器用キャップに関し、特に口首部を離間させた状態で各々突出させた２以上の液収容室を備える容器本体の上端部分に、着脱可能に装着される複数室ボトル容器用キャップに関する。
【０００２】
【従来の技術】
２種以上の液を互いに混合させることなく収容し、必要に応じて各液を各々取り出して使用することを可能にした複数室ボトル容器が知られている（例えば、特許文献１、特許文献２参照）。従来の複数室ボトル容器によれば、２種以上の液を各々収容するための液収容室を容器本体部に２室以上有しており、各液収容室の上端部分に突出配置した液注出用の口首部を介して、各液収容室に収容された液を各々注出することができるようになっている。
【０００３】
また、液注出用の口首部を閉塞するために取り付けられるキャップとしては、一般に、口首部に着脱可能に螺合装着されるスクリューネジ式のキャップが用いられており、特許文献１に示されるように、各液収容室の口首部を円形断面となるように密接集合させて、円形断面に集合させたこれらの口首部を一体として覆うようにしてキャップを螺合装着するようにしたものや、特許文献２に示されるように、離間して設けられた各液収容室の口首部に、各々個別にキャップを螺合装着するようにしたものが採用されている。
【０００４】
【特許文献１】
実開昭５８−６１７４２号公報
【特許文献２】
実開昭６１−７３５０６号公報
【０００５】
【発明が解決使用とする課題】
しかしながら、上記従来の複数室ボトル容器の口首部を覆って装着されるキャップによれば、各液収容室に収容された液を各々別途に取り出す際には便利に用いることができるが、２室以上の液収容室に収容された液を同時に注出して、例えばこれらを混合しつつ使用する際には、その取り扱いに不便な場合があった。
【０００６】
すなわち、特許文献１によれば、口首部とキャップとの間に介在して設けられた、注出穴を片側に偏在させて開口形成した中栓を回動させて注出可能な口首部を切り替えることにより、各口首部から各々液を注出させるようにしたものであるが、キャップ及び中栓を取り外して各液収容室から同時に液を注出させつつ使用する場合には、各液収容室の口首部が隣接して配置されていることから、一方の液収容室の液が隣接する口首部との仕切部分を介して他方の液収容室に混入することによるコンタミネーション（ Contamination ）を生じやすく、各液収容室に収容された液の品質に影響を及ぼす場合がある。また、特許文献２によれば、離間した口首部から各々キャップを取り外したり、離間した口首部に各々キャップを装着する作業に手間がかかることになる。
【０００７】
また、これらのキャップは、各液収容室から注出される液を受けて保留するのに十分な容積を有しておらず、注出される２種以上の液を混合する機能や、液を計量する機能を全く備えていなかった。
【０００８】
本発明は、各液収容室に収容された液が口首部を介して混ざり合うのを回避しつつ、着脱操作を容易にして、複数室ボトル容器の各液収容室から２種以上の収容液を同時にスムーズに注出することを可能にする複数室ボトル容器用キャップを提供することを目的とする。
【０００９】
また、本発明は、２室以上の液収容室から同時に注出された収容液を混合状態で保留して、容易に計量することのできる複数室ボトル容器用キャップを提供することを目的とする。
【００１０】
【課題を解決するための手段】
本発明は、２室以上の液収容室を備え、各液収容室の肩部から口首部を離間させた状態で各々突出させた容器本体の上端部分に、着脱可能に装着される複数室ボトル容器用キャップであって、天面部とスカート部とからなり、前記各液収容室の肩部及び口首部を一体として覆って装着されるキャップ本体と、前記各液収容室の口首部と対応する位置において前記天面部の内側面から各々垂下して設けられ、下端開口の縁部を変形させて各口首部の外周面に各々着脱可能に係止される２つ以上の嵌合筒体とからなる複数室ボトル容器用キャップを提供することにより、上記目的を達成したものである。
【００１１】
また、本発明の複数室ボトル容器用キャップは、前記キャップ本体のスカート部の開口縁部には、離間して設けられた前記口首部のピッチと併せたピッチで、前記キャップ本体の内部に前記各液収容室から収容液を注入する際に前記各口首部を同時に位置決めさせる２つ以上の案内凹部が形成されていることが好ましい。
【００１２】
【発明の実施の形態】
本発明の好ましい実施形態に係る複数室ボトル容器用キャップ１０は、図１及び図２に示すように、２室以上の液収容室を備える複数室ボトル容器として、例えば、洗口剤用の第１液と第２液とを各々分離した状態で収容する２室ボトル容器１１の上端部分に着脱可能に装着されて用いられるものである。すなわち、２室ボトル容器１１は、例えば合成樹脂製のボトル状の容器であって、例えば横断面が楕円形状の容器本体１３を中央の仕切壁１２によって縦長に２等分割して形成された、対称形状の２室の液収容室１４ａ，１４ｂを備えている。また各液収容室１４ａ，１４ｂには第１液と第２液とが収容液として各々収容されていると共に、各液収容室１４ａ，１４ｂの上端部分には、肩部１５ａ，１５ｂから各々上方に突出させて液注出用の口首部１６ａ．１６ｂが設けられており、これらの口首部１６ａ．１６ｂを介して、第１液と第２液とを同時に注出させることができるようになっている。
【００１３】
そして、本実施形態の複数室ボトル容器用キャップ１０は、上述ような２室の液収容室１４ａ，１４ｂを備え、各液収容室１４ａ，１４ｂの肩部１５ａ，１５ｂから口首部１６ａ，１６ｂを離間させた状態で各々突出させた容器本体１３の上端部分に着脱可能に装着される、例えばＰＰ（ポリプロピレン）等の合成樹脂を用いて射出成形により形成されたキャップであって、天面部１７とスカート部１８とからなり、各液収容室１４ａ，１４ｂの肩部１５ａ，１５ｂ及び口首部１６ａ，１６ｂを一体として覆って装着されるキャップ本体１９と、各液収容室１４ａ，１４ｂの口首部１６ａ，１６ｂと対応する位置において天面部１７の内側面から各々垂下して設けられ、下端開口の縁部２０を変形させて各口首部１６ａ，１６ｂの外周面に各々着脱可能に係止される、２箇所に設けられた嵌合筒体２１ａ，２１ｂとによって構成されている。
【００１４】
本実施形態のボトル容器用キャップ１０を構成するキャップ本体１９は、２室ボトル容器１１の容器本体１３の横断面と略等しい大きさ、形状を有する楕円形状の天面部１７の周縁部に、楕円筒状に湾曲させた帯板状のスカート部１８を一体接合してなる有天（底）楕円筒体である。キャップ本体１９が容器本体１３の上端部分に装着されることにより、そのスカート部１８は容器本体１３の外周面と略面一に配置される共に、一対の液収容室１４ａ，１４ｂの肩部１５ａ，１５ｂ及び口首部１６ａ，１６ｂを上方から被せるようにして同時に覆って、キャップ本体１９が取り付けられることになる。
【００１５】
また、キャップ本体１９のスカート部１８の開口縁部２２は、外側から内側への押圧によって楕円形状の開口を押し潰すようにしつつ容易に弾性変形させることができる程度の可撓性を備えている。したがって、容器本体１３に装着されたキャップ１０を取り外す際に、開口縁部２２を外側から押圧して弾性変形させれば、当該開口縁部２２は、口首部１６ａ，１６ｂに向かって上方に傾斜するテーパー面となった肩部１５ａ，１５ｂに沿って乗り上げてゆくことになり、これによって、キャップ１０を持ち上げるようにしてキャップ本体１９に対して上方へ相対移動させる付勢力を付与することができるようになっている。
【００１６】
さらに、本実施形態によれば、図３に示すように、キャップ本体１９のスカート部１８の開口縁部２２には、楕円形状の開口の長軸方向に沿った一方の側壁部２３に、離間して設けられた容器本体１３の一対の口首部１６ａ，１６ｂの配設ピッチと併せた等しいピッチで、案内凹部２４ａ，２４ｂが２箇所に切込み形成されている。案内凹部２４ａ，２４ｂは、略円筒形状の口首部１６ａ，１６ｂの外周形状に沿った形状の、円弧状若しくは半円形状の切り込み部である。この案内凹部２４ａ，２４ｂに一対の口首部１６ａ，１６ｂの周面を乗せ掛けることによって、容器本体１３から取り外したキャップ１０のキャップ本体１９の内部に各液収容室１４ａ，１４ｂから収容液を注入する際に、各口首部１６ａ，１６ｂをキャップ本体１９に安定した状態で同時に位置決めすることができるようになっている。
【００１７】
そして、キャップ本体１９の天面部１７の内側面には、図２に示すように、本実施形態のボトル容器用キャップ１０を構成する一対の嵌合筒体２１ａ，２１ｂが、当該天面部１７と一体成形されて設けられている。
【００１８】
一対の嵌合筒体２１ａ，２１ｂは、各々、略円筒形状の口首部１６ａ，１６ｂの外径と略同様の内径を備える円筒体であって、天面部１７の内側面から垂下して設けられていると共に、これの下端開口の縁部２０は、外側に拡径変形可能な弾性を備えている。すなわち、本実施形形態によれば、嵌合筒体２１ａ，２１ｂには、下端開口の縁部２０から垂直に延設される拡径スリット２５が複数平行に切り込み形成されており（図３参照）、これによって嵌合筒体２１ａ，２１ｂ及び下端開口の縁部２０の弾性による拡径変形を、スムーズに行わせることができるようになっている。
【００１９】
また、各嵌合筒体２１ａ，２１ｂの下端部内周面には、周方向に延設される三角形断面のキャップ側係止突条２６が設けられている。このキャップ側係止突条２６は、２室ボトル容器１１へのキャップ１０の装着時に、各口首部１６ａ，１６ｂの外周面から突出して環状に設けられた三角形断面の容器側係止突条２７に係止されることにより、口首部１６ａ，１６ｂの注出口を強固に閉塞しつつ、キャップ１０を、容器本体１３に着脱可能な状態で容易に固定することができるようになっている。
【００２０】
さらに、本実施形態によれば、各嵌合筒体２１ａ，２１ｂの内方にはこれと同心状に配置されて、天面部１７の内側面から一体として突出形成された環状リブ２８が設けられている。環状リブ２８は、キャップ１０の装着時に各嵌合筒体２１ａ，２１ｂが各口首部１６ａ，１６ｂに各々嵌合係止された際に、口首部１６ａ，１６ｂの先端内側面に填め込まれてインナーリングとして機能し、各液収容室１４ａ，１４ｂに収容された収容液の漏れを強固に防止することができるようになっている。
【００２１】
さらにまた、本実施形態によれば、各嵌合筒体２１ａ，２１ｂの周面には、成形時の凹凸模様や印刷等によって計量目盛が設けられており、これによって、取り外したキャップ１０のキャップ本体１９の内部に各液収容室１４ａ，１４ｂに収容された収容液を注入した際に、これらの量を容易に計量することができるようになっている。なお、各嵌合筒体２１ａ，２１ｂの天面部１７からの突出高さを所定の高さに予め設定しておくことにより、当該嵌合筒体２１ａ，２１ｂの先端までの貯留量を所望の液量として、当該嵌合筒体２１ａ，２１ｂ自体を計量目盛として用いることもできる。
【００２２】
そして、本実施形態の複数室ボトル容器用キャップ１０によれば、各液収容室に収容された液が口首部を介して混ざり合う、いわゆるコンタミを生じさせることなく、且つ着脱操作を容易にして、２室ボトル容器１１の各液収容室１４ａ，１４ｂから２種の収容液を同時にスムーズに注出することが可能になる。すなわち、本実施形態によれば、ボトル容器用キャップ１０は、容器本体の上端部分から離間した状態で突出する一対の口首部１６ａ，１６ｂの注出口を、各嵌合筒体２１ａ，２１ｂによって各々閉塞する機能を備えているので、一対の口首部１６ａ，１６ｂを隣接配置する必要がなく、これによってコンタミの発生を確実に回避することが可能になる。
【００２３】
また、本実施形態によれば、キャップ１０を容器本体１３の上端部分に装着する際には、天面部１７からの僅かな押圧力でキャップ１０を容器本体１３に押し込めば、下端開口の縁部２０を拡径変形させつつキャップ側係止突条２６が容器側係止突条２７を乗り越えてこれに確実に係止固定されることになり、キャップ１０を容器本体１３から取り外す際には、スカート部１８の開口縁部２２を外側から内側へ押圧すれば、キャップ１０は上方へ移動して容器側係止突条２７の係止固定状態が容易に解除されるので、これらのワンタッチ操作によって、離間した一対の口首部１６ａ，１６ｂの着脱開閉操作をスムーズに行うことが可能になる。
【００２４】
さらに、本実施形態の複数室ボトル容器用キャップ１０によれば、各液収容室１４ａ，１４ｂから同時に注出された収容液を混合状態で保留して、容易に計量することが可能になる。すなわち、本実施形態によれば、キャップ１０のキャップ本体１９は、各液収容室１４ａ，１４ｂの肩部１５ａ，１５ｂ及び口首部１６ａ，１６ｂを一体として覆い得る大きさを備え、相当の容積の貯留空間を内側に保持しているので、計量するべき十分な量の収容液を混合した状態で貯留することができると共に、これらの収容液を、例えば嵌合筒体２１ａ，２１ｂの周面に設けられた計量目盛を介して、所望の液量に容易に計量することが可能になる。
【００２５】
さらにまた、本実施形態によれば、キャップ本体１３のスカート部１７の開口縁部には、離間した口首部１６ａ，１６ｂのピッチに略併せたピッチとなるように等しいピッチで一対の案内凹部２４ａ，２４ｂが設けられていることが好ましく、これによって、キャップ本体１３への内溶液の注出時に、一対の口首部１６ａ，１６ｂの周面をこれらの案内凹部２４ａ，２４ｂに各々乗せ掛けて同時に位置決めすることが可能になり、これによって各液収容室１４ａ，１４ｂから、各々の収容液を安定した状態で同時にキャップ本体１３へ注出することが可能になる。また、一対の口首部１６ａ，１６ｂを一対の案内凹部２４ａ，２４ｂに同時に乗せ掛けることによって、一対の口首部１６ａ，１６ｂが水平に並ぶように自然に誘導されることになり、容器本体１３が傾いた状態で注出操作が行われるのを回避して、例えば１：１等の所定の配合割合で、各内溶液をキャップ本体１３に容易に貯留させることが可能になる。
【００２６】
なお、本発明は上記実施形態に限定されることなく種々の変更が可能である。例えば、キャップが装着される容器は、２室ボトル容器である必要は必ずしもなく、３室以上の液収容室を備え、３箇所以上の口首部を離間させた状態で突出させたボトル容器であっても良い。この場合には、口首部の数に対応させた数の嵌合筒体を設けることができる。また、３箇所以上の口首部や嵌合筒体を一列に並べて配置する必要は必ずしもない。さらに、嵌合筒体の内方に環状リブを設ける必要は必ずしもなく、例えばパッキン等を介在させてシール性を向上させることもできる。さらにまた、案内凹部や計量目盛を設ける必要は必ずしもなく、案内凹部は、口首部の外周形状に沿った円弧状若しくは半円形状のものである必要は必ずしもない。また、口首部は円筒形状のものである必要は必ずしもない。さらにまた、口首部の離間距離と案内凹部の離間距離とを厳密に等しくする必要は必ずしもなく、例えば２室ボトルの場合、２つの口首部から２種類の液を所定の配合で注ぎ出すことが可能なように各口首部を位置決めできるよう離間距離であれば良い。
【００２７】
【発明の効果】
本発明の複数室ボトル容器用キャップによれば、各液収容室に収容された液が口首部を介して混ざり合うのを回避しつつ、着脱操作を容易にして、複数室ボトル容器の各液収容室から２種以上の収容液を同時にスムーズに注出することができる。また、２室以上の液収容室から同時に注出された収容液を混合状態で保留して、容易に計量することができる。
【図面の簡単な説明】
【図１】本発明の一実施形態に係る複数室ボトル容器用キャップ及び該キャップが装着されるボトル容器を例示する斜視図である。
【図２】本発明の一実施形態に係る複数室ボトル容器用キャップをボトル容器に装着した状態の断面図である。
【図３】本発明の一実施形態に係る複数室ボトル容器用キャップの構成を説明する斜視図である。
【符号の説明】
１０  複数室ボトル容器用キャップ
１１  ２室ボトル容器
１２  仕切壁
１３  容器本体
１４ａ，１４ｂ  液収容室
１５ａ，１５ｂ  肩部
１６ａ．１６ｂ  口首部
１７  天面部
１８  スカート部
１９  キャップ本体
２０  嵌合筒体の下端開口の縁部
２１ａ，２１ｂ  嵌合筒体
２２  キャップ本体のスカート部の開口縁部
２４ａ，２４ｂ  案内凹部
２５  拡径スリット
２６  キャップ側係止突条
２７  容器側係止突条
２８  環状リブ
【図１】
2004196335.tif 000003
【図２】
2004196335.tif 000004
【図３】
2004196335.tif 000005